(57)【要約】【課題】蔓性植物を這わせるための網棚に於いて、植物の重量に耐え、防虫網を備えて、且つ組み立て、変更を容易にする。【解決手段】上下一対の網線と断面三角形の所定長さの立体桁枠から構成し、縦方向に配置した三角立体桁枠に対して横方向にその三角の底辺及び頂点に網線を結合して網線を上下に展開してなる下層部材を１単位として横方向に張力を調整可能なターンバックルで連結して横梁の間に張り、その上に上層部材として梯子状押え部材と防虫網とを重ねて配置する。三角立体桁枠により展開された下層部材からなる網棚は、その空間につる植物を這わせて育成するに際して、その張力により十分な強度を維持できる。【選択図】        図１
2004254504.tif 000002
【特許請求の範囲】
【請求項１】
水平横方向の複数層網線と水平縦方向に配置する立体桁枠により網棚の下層部材を構成し、
これらの上層に、防虫網手段とその外部押さえ部材を配置し，網棚の上層全体に防虫網が形成されるようにして、下層部材に蔓性植物が自由に這うことができる空間を設けて形成された複数層網棚であって、
前記下層部材の網線は、ステンレスをその主要材質とし、２個で１組のターンバックルを用いて、架設空間の両端において、それぞれ末端が小さな環状になっている２本の網線の一端を掛止し、蔓性植物が這って成長するのに適した間隔で平行に配列させて水平横方向の複数の網線を形成してなり、
前記立体桁枠は、ステンレス棒を折り曲げて∧型の折り曲げ棒にし、複数の∧型折り曲げ棒の下方両端をステンレス棒上に溶接し、次いでこれらを組合わせて断面三角形の立体桁枠に構成して、その前後両端面を同様のステンレス棒で溶接して口止め封鎖してなり、
前記複数層網線と前記立体桁枠は、予めモジュールに作成しておく方式を採用して、
前記複数層網線は前記立体桁枠の山型折り曲げ棒の頂点に位置して十字固定器などで連結することによって網線を上下に展開して立体的な網棚構造を形成し、
このようにして構成された網棚構造のユニットを連結して、網線両端のターンバックルを閉めることによって、網線の前記架設空間で必要とする張力を付与して支持させ、
上記防虫網を、網棚を架設する一端に前記防虫網の張り具合を調整可能に巻き上げユニットを装着し、他端に締め具を装着すると共に複数の防虫網の一部を重ねて被覆することによって大きな面積の網棚に対応可能とし、
前記防虫網の上方外部押え部材はロープ梯子状に形成されてそのロープ間の固定軸の重量により防虫網をきつく押し付けて網棚部材を近接させるとともに気流が上昇しても揺れ動くことがないようにしてなることを特徴とする、防虫網を被覆した植物を水平に這わせる複数層網棚。
【発明の詳細な説明】
【発明の属する技術分野】
本発明は、防虫網を被覆した蔓性植物を水平に這わせるための複数層網棚に関するもので、立体的な桁枠で支えられる複数層の網棚構造をしており、防虫網の下方に蔓性植物を水平方向に這わせるための立体的で幅広い空間が形成され、建物の天井またはその他日射を受ける平行梁枠上に設置するとよく、植物が生長するにつれて、果実を収穫し、緑化を水平に進め、陽光を遮断する機能を果たし、網棚の周りの防虫措置と組み合わせて、虫の侵入を全面的に防ぐ効果を上げることができる。
【０００１】
【従来の技術に於ける問題点】
従来の蔓性植物を這わせるための網棚は、平行梁枠または垂直支持枠上に、針金またはその他剛性の材質で単層の棚面を形成させたものがほとんどで、その目的は単に蔓性植物を水平方向に這わせることであって、棚上に防虫網を直接被覆するという考えはなく、虫害や虫食いを防止したければ、常に別途に防虫措置を講じなければならなかった。一般の農芸または園芸用のビニールハウスや温室の天井棚には、構造上、防虫網を直接被覆することはできるが、蔓性植物を這わせるには、ビニールハウスや温室の全体に別途這わせ用の棚枠を設けねばならない。建物の天井またはその他日射を受ける平行梁枠上に蔓性植物を植えて、果実を収穫したり、緑化を水平に進めるときには、防虫網と網棚を一体にしなければ、有限な空間のなかで防虫網を被覆し且つ植物を水平に這わせるという目的を同時に達成させることはできないが、これは繁雑かつ不経済で、妥当な方法とは思われなかった。
【０００２】
【課題を解決するための手段】
上記問題点を解決し、蔓性植物が這う網棚の付加価値を高めるために、本発明では尚、防虫網を被覆した、植物を水平に這わせるための新型の複数層からなる網棚を用いている。該網棚の下層部材はターンバックルで水平横方向の複数層ステンレス棒をそれぞれ連結して形成され、その下層部材中間には水平縦方向のステンレス棒からなる立体桁枠を立てて立体的で水平方向の棚枠を形成し、上記の水平横方向のステンレス棒はターンバックルを締めて張力を付与することで水平方向に強く張られるため、植物が結実したときの重量に耐え大きく変形することがなく、また上層には防虫網手段を被せ、網体の巻き上げユニットと外部押え棒を配置し、防虫網をしっかりとその上に固定し、網棚の上層全体に防虫網が形成されるようにして、下層に蔓性植物が自由に這うことのできる空間をもたせている。
【０００３】
前記網棚の下層部材は、ステンレス棒をその主要材質とし、２個で１組のターンバックルを用いて、架設空間の両端にそれぞれ、末端が小さな環状になっている２本のステンレス棒を一端に掛止し、約２５センチ間隔で（一般に蔓性植物が這って生長するのに適した距離）平行に配列させて水平横方向の複数層の網線を形成し、前記水平横方向の複数層網線の上、下ステンレス棒の中間に、水平縦方向に立体桁枠を配置して立体的空間を形成し、ターンバックルを締め付けたときに網棚全体を効果的に展延させて且つ固定させる。
【０００４】
前記複数層網線の中間には、前記水平横方向の複数層網線を上下に展開させて支える水平縦方向の立体桁枠を使用する。先ず、ステンレス棒を折り曲げて∧型の折曲棒にし、複数の∧型折曲棒の下方両端をステンレス棒上に溶接し、次いでこのように形成したものを組合わせて立体桁枠に構成し、好ましくは三角の立体桁枠にし、その断面の三角形ユニットは高さ約３０センチ、底辺約３０センチとし（前記一般蔓性植物が這って生長するのに適した距離の間隔よりやや大きくし、一般蔓性植物を生長しやすいようにする）、前記立体桁枠の前後両端にさらに短いステンレス棒を用いて封鎖用の幾何学形の口止めをつくり、前記複数層の網線を上下に開かせる高さに応じて、大小の異なる前記立体桁枠を選んで作製し、縦方向に立たせるが、前記水平横方向の複数層網線を架設する両端の距離が広がったときには、前記立体桁枠の数を多くして複数層網線間を支える必要がある。
【０００５】
前記複数層網線と前記立体桁枠は、全体的に予めモジュールに作製しておく方式を採用して、現場での組み立てを容易にする。前記複数層網線はいずれも前記立体桁枠の∧型折曲棒の頂点に位置する交差箇所を十字固定器またはスポット溶接で接続して下層部材となし、架設された網棚両端においてターンバックルを締めて張力を負荷することで十分な強度をもたせている。
下層部材の上層に被覆する一層の防虫網は、網棚を架設する一端に前記防虫網の巻き上げユニットを装着し、他端に締め具を装着して、被覆する防虫網を引っ張り、さらに巻き上げユニットで前記防虫網の張り具合を調整する。前記防虫網の幅は限られているので（一般には約１２０センチ）、前記防虫網を巻き上げるローラをその位置をずらして配置させ、各防虫網の一部を重ねて被覆させれば、大きな面積の網棚に対応することができる。
【０００６】
前記防虫網の上方にはロープ梯子状の外部押え部材があって前記防虫網を固定しており、架設空間両端のロープ梯子の固定軸を通じて、外部押え棒がその重量を利用して防虫網をきつく押しつけて網棚部材に近接させるので、虫害を隔絶するとともに気流が上昇したために揺れ動くということがない。
【０００７】
【発明の実施の形態】
以下、図面を参照して、本発明に関する防虫網を被覆した蔓性植物を水平に這わせるための複数層網棚について説明する。
図１は、本発明に関する防虫網を被覆した蔓性植物を水平に這わせるための複数層網棚の断面図である。網棚構造ユニットと網棚構造ユニットとの組み合わせ方式の違いによって、図の上下それぞれの実施例１と実施例２との２種類の運用方式に分けることができる。
図２は、図１の円１で囲んだ個所における拡大図であって、立体桁枠１３で複数層網線９−１、９−２を展開させて支えたときの拡大図である。
図３は、図１の円２における複数層網線９−１，９−２を架設した横梁６の一端と防虫網巻き上げユニット装着部１５−３、ロープ梯子状外部押え部材の固定座締め具１７−１の拡大図である。
図４は、図１の円３における複数層網線９−１、９−２を架設した横梁６の他端と防虫網１６の巻き上げユニット１５−１、ロープ梯子状外部押え部材１８の固定座１７の拡大図である。
図５は、図１の円４−１、４−２における拡大図であり、それぞれ網棚構造ユニット間の２種の異なる連結方式を示した拡大図である。網棚構造ユニット間を、ターンバックル８を利用した連結方式（４−１）、または連結プレート１４および下止め環１０の組み合わせだけを採用する連結方式（４−２）が示されている。
図６は、図１の切断面５における立体桁枠断面を示した図であり、５−１は単一の三角立体桁枠を示した斜視図である。
図７は、ロープ梯子状外部押え部材の構造を示した平面図である。
図８は、網線及び三角立体桁からなる複数の網棚構造ユニットを連結して網棚を形成した全体斜視図である。
【実施例１】
直径４．５ｍｍのステンレス棒を主材料にした図６の５−１に示す立体桁枠数個で横方向の複数層網線を展開した単一の網棚構造ユニットを採用し、予め架設された横梁６の両端にそれぞれネジ７で取り付けて延長された支持プレート１１に、２個１組のターンバックル８を用いて末端が小環状になった２本のステンレス棒９−１、９−２一端を掛止し、それぞれ２５センチ間隔で平行に配列させて水平横方向の複数層網線を構成し、水平横方向の複数層網線の上９−１、下９−２のステンレス棒間に図６の５−１に示す水平縦方向の（三角）立体桁枠を設置して複数層網線を上下に展開する。      本実施例の立体桁枠は、まず直径９ｍｍのステンレス棒を折り曲げて∧型の折曲棒にし、複数の∧型折曲棒１３の下方両端を直径９ｍｍのステンレス棒１２上に溶接して図６の５−１に示す三角立体桁枠にする。該桁枠の断面の三角形は高さ３０センチ、底辺３０センチとし、立体桁枠の前後両端にさらに短いステンレス棒を用いて三角形の口止めとして封鎖する。本実施例では、水平横方向の複数層網線を架設する網棚両端間の距離を５．９５メートルとし、４つの水平縦方向の立体桁枠で複数層網線間を展開させ、各立体桁枠の間隔を約１．１〜１．５メートルにしている。複数層網線全体と立体桁枠はいずれも予めモジュールに作製する方式を採用し、現場で組み立てるときに実際に必要な面積に応じて接続して延長させて架設し、複数層網線はいずれも立体桁枠の∧型折曲棒の頂点に位置させて、複数層網線９−１、９−２と立体桁枠の水平縦方向のステンレス棒１２の交点箇所を十字固定器１２−１などで連結して植物を水平に這わせる複数層の網棚構造の下層部材を構成させ、ターンバックル８で網棚の両端を締め付ける。ターンバックル８と十字固定器１２−１はいずれも取り外しのできる部材で、何度も使用でき、組み立てにも便利である。
網棚の下層部材上に被覆する一層の防虫網１６は、本発明の上層手段であり、図１の円３に示す網棚を架設する一端に防虫網の巻き上げユニット１５、１５−１（図４参照）を据え付け、図１の円２に示す他端に締め具１５−３を据え付けて、被覆した防虫網を引っ張り、さらに巻き上げユニット１５で防虫網の張り具合を調整し、防虫網を巻き上げるローラをその位置をずらして配置させ、各防虫網の一部を重ねて被覆させれば、大きな面積の網棚に対応することができる。ロープ梯子状の外部押え部材１８で防虫網の上方を固定し、架設空間両端のロープ梯子状外部押え部材の固定座１７と締め具１７−１を通じて、固定された外部押え棒がその重量によって防虫網をきつく押しつけ、防虫網を下層部材となる網棚に近接させる。外部押え部材の位置は、２つの三角立体桁枠の間に対応しているのが好ましい。
【実施例２】
複数の網棚構造ユニットの組み合わせを採用し、各網棚構造ユニットの複数層網線間を１つまたは複数の図６の５−１に示す三角立体桁枠で展開する。複数の網棚構造ユニットの組み合わせ方式は、（１）２個で１組のターンバックル８を、複数層網線９−１、９−２一端に掛止して、連結プレート１４上に下止め環１０を装着する（図５の４−１参照）、（２）複数層網線９−１、９−２を直接連結して連結プレート１４上の下止め環１０を装着する（図５の４−２参照）、の２形式がある。ロープ梯子状の外部押え部材１８で防虫網の上方を固定し、架設空間両端のロープ梯子状外部押え部材の固定座１７と締め具１７−１を通じて、固定された外部押え部材がそれ自体の重量によって防虫網を押し付け、防虫網を下層部材となる網棚に近接させる。外部押え部材の位置は、２つの三角立体桁枠の間と網棚構造ユニットの連結箇所に対応しているのが好ましい。
【発明の効果】
上記のように、本発明が提供する防虫網を被覆した蔓性植物を水平に這わせるための複数層の網棚構造では、立体桁枠で複数層網線を展開させて、防虫網の下方に蔓性植物が水平方向に這うことのできる立体的な空間を提供しており、建物の天井またはその他日射を受ける平行梁枠上に据え付ければ、植物が生長するにつれて、果実を収穫し、緑化を水平に進め、陽光を遮断する効果を上げ、網棚の周りの防虫措置と組み合わせて、虫の侵入を全面的に防ぐ効果を達成することができる。網棚の強度は、ターンバックルで複数層網線を締め付けて張力を付与することによって維持できるため、植物が結実したときの重量に耐え大きく変形することがない。主要な網棚の部材は取り外しができ、何度も使用できるので、植物の育成栽培時に発生すると思われる虫害の特性に対処して、網目の大きさの違う防虫網に交換することもでき、使用しないときには簡単に取り外し、収納し、運ぶことができるため、フレキシブルな使用が可能な網棚構造になっている。
【図面の簡単な説明】
【図１】防虫網を被覆した蔓性植物を水平に這わせる複数層網棚の２つの例を示す断面図である。
【図２】図１の円１における立体桁枠で複数層網線を展開した状態で立体桁枠端面を示す拡大図である。
【図３】図１の円２における複数層網線を架設した横梁の一端と防虫網、ロープ梯子状外部押え棒の固定端締め具の取り付け状態を示す拡大図である。
【図４】図１の円３における複数層網線を架設した横梁の他端と防虫網の巻き上げユニット、ロープ梯子状外部押え棒の固定座を示す拡大図である。
【図５】図１の円４−１、４−２における拡大図であり、網棚構造ユニット間の２種の異なる連結方式を示した拡大図である。
【図６】円５は、図１の切断面５による立体桁枠断面を示した図であり、円５−１は１基の（三角）立体桁枠の斜視図である。
【図７】ロープ梯子状外部押え部材の構造を示した平面図である。
【図８】三角立体桁枠を組み込んだ網棚構造ユニット下層の複数の網棚部材を連結させた全体の状態を示す斜視図である。
【符号の説明】
１  三角立体桁枠ユニット断面拡大部
２  固定端の締め具を示す拡大部
３  固定座拡大部
４−１  ターンバックルを使用した下止め環拡大部
４−２  連結プレートを使用した下止め環拡大部
５  水平縦方向に配置される三角立体桁枠の切断面
５−１  三角立体桁枠ユニット
６  既設の鋼製横梁
７  ネジ
８  ターンバックル
９−１  ステンレス棒網線
９−２  ステンレス棒網線
１０  下止め環
１１  横梁外方に延伸する支持プレート
１２  ステンレス棒
１３  ∧型折曲棒・アームタイ
１４  網棚構造ユニットの連結プレート
１５  防虫網巻き上げユニットの装着部
１５−１  防虫網巻き上げユニットの装着部（位置ずれ調整状態）
１５−３  防虫網巻き上げユニットの装着部締め具
１６  防虫網
１７  ロープ梯子状外部押え部材の固定座
１７−１  ロープ梯子状外部押え部材の締め具
１８  ロープ梯子状外部押え部材
１９  外部押え棒
２０  ステ‐ロープ
【図１】
2004254504.tif 000003
【図２】
2004254504.tif 000004
【図３】
2004254504.tif 000005
【図４】
2004254504.tif 000006
【図５】
2004254504.tif 000007
【図６】
2004254504.tif 000008
【図７】
2004254504.tif 000009
【図８】
2004254504.tif 000010